(57)【特許請求の範囲】
【請求項１】
乗用車のドア側に設けられて、固定式シートから分離可能なシートクッションおよび背もたれからなる昇降回転リヤシートであって、
上記シートクッションと上記背もたれとの基部となって所定角度に形成された支持プレートと、
上記支持プレートの所定位置に配設された回動ピンに係合するとともに、ギヤシャフトの回転により上記回動ピンを上下動するように配設されたジャッキ機構と、
上記シートクッションの中心軸に対して車両外側後方に設けた回動軸の回りに回動する回動機構と、を備え、
上記ギヤシャフトの回転で上記回動ピンが上記支持プレートとともに下降して上記シートクッションを水平にすることにより、上記固定式シートと上記背もたれとの間に隙間を形成し、上記シートクッションを回動可能に構成したことを特徴とする、昇降回転リヤシート。
【請求項２】
乗用車の固定式シートから分離可能で、着座したまま上記乗用車の乗降口から車外に出られるようになっているドア側リヤシートにおいて、
シートクッションと背もたれとの基部となって所定角度に形成された支持プレートと、 この支持プレートの角にて回動可能に支持するベース枠体と、
このベース枠体の中心軸から車両外側に偏心した回動軸に位置する支柱と、
この支柱を中心にして上記ベース枠体が正逆回転方向にスライドするガイドレールと、 上記支持プレートの所定位置に配設された回動ピンに係合するとともに、上記ベース枠体に備えたギヤシャフトの回転により上記回動ピンを上下動するように配設されたジャッキと、を備え、
上記ギヤシャフトの回転で上記回動ピンが上記支持プレートとともに下降して上記シートクッションを水平にすることにより、上記固定式シートと上記背もたれとの間に隙間を形成し、上記ベース枠体が上記ガイドレールに沿って上記支柱の周りに回動することにより、上記乗降口から上記シートクッションが車外に出るようになっていることを特徴とする、昇降回転リヤシート。
【請求項３】
前記ジャッキは、前記回動ピンを中心に連結されたジャッキシャフトの一端を可動支柱に連結し、上記ジャッキシャフトの他端を固定支柱に連結しており、
前記ギヤシャフトの回転で上記可動支柱が移動して前記回動ピンが前記支持プレートとともに下降して上記シートクッションを水平にすることを特徴とする、請求項２に記載の昇降回転リヤシート。
【発明の詳細な説明】
【０００１】
【発明の属する技術分野】
この発明は、乗用車の乗降に利用し、特に身障者及び高齢者が容易に乗降できるようにするための昇降回転可能なリヤシートに関するものである。
【０００２】
【従来の技術】
近年、ワンボックスカーにおいて身障者や高齢者向けの乗用車が製造されるようになってきており、そのような乗用車のシートとしてサイドリフトアップ式シートが利用されている。
【０００３】
図１０は従来のサイドリフトアップシートを示す概略図であり、図１０において、（ａ）はドア開時を、（ｂ）はシート回転時を、（ｃ）はシート引き出し時を、（ｄ）はシート下降時を示す外観図である。
図１０に示すように、従来の乗用車１における身障者や高齢者向けのサイドリフトアップシート３は、ドア２を例えば手動でスライドさせて開け（図１０（ａ）参照）、次にシート３を出口方向に手動で回転させ（図１０（ｂ）参照）、さらに足乗せ台５を前に倒し、手動でシート３を車外方向へスライダーに沿って引き出すか又は押し出して（図１０（ｃ）参照）、最後に電動機構によりシート３を下降させて（図１０（ｄ）参照）、シート３と路面との段差を最小にすることにより乗降を容易にしている。
このようなサイドリフトアップシート３では、シートの回動機構、スライド機構及びリフト機構が必要であり、その機構が複雑であることからセパレートシート対応式に限られていた。
【０００４】
【発明が解決しようとする課題】
しかし、家族などで一緒に利用することが多いセダンタイプの乗用車には、身障者や高齢者向けのシート、特にセダンタイプの３人掛け固定式リヤシートにはシートに座ったままで車外に出て、しかも路面との段差を最小にして容易に乗降ができるような身障者や高齢者向けのシートは未だかって無かった。
【０００５】
本発明は、上記の課題にかんがみ、ワンボックスカーのみならずセダンタイプの固定式シートにあっても、シートに座ったままで車外に出ることができるとともに、路面との段差をも小さくできる昇降回転リヤシートを提供することを目的とするものである。
【０００６】
【課題を解決するための手段】
上記目的を達成するために、請求項１に記載の昇降回転リヤシートは、乗用車のドア側に設けられて、固定式シートから分離可能なシートクッションおよび背もたれからなる昇降回転リヤシートであって、シートクッションと背もたれとの基部となって所定角度に形成された支持プレートと、支持プレートの所定位置に配設された回動ピンに係合するとともに、ギヤシャフトの回転により回動ピンを上下動するように配設されたジャッキ機構と、シートクッションの中心軸に対して車両外側後方に設けた回動軸の回りに回動する回動機構とを備え、ギヤシャフトの回転で回動ピンが支持プレートとともに下降してシートクッションを水平にすることにより、固定式シートと背もたれとの間に隙間を形成し、シートクッションを回動可能に構成した。
【０００７】
また請求項２に記載の昇降回転リヤシートは、乗用車の固定式シートから分離可能で、着座したまま上記乗用車の乗降口から車外に出られるようになっているドア側リヤシートにおいて、シートクッションと背もたれとの基部となって所定角度に形成された支持プレートと、この支持プレートの角にて回動可能に支持するベース枠体と、このベース枠体の中心軸から車両外側に偏心した回動軸に位置する支柱と、支柱を中心にしてベース枠体が正逆回転方向にスライドするガイドレールと、支持プレートの所定位置に配設された回動ピンに係合するとともに、ベース枠体に備えたギヤシャフトの回転により回動ピンを上下動するように配設されたジャッキと、を備え、ギヤシャフトの回転で回動ピンが支持プレートとともに下降してシートクッションを水平にすることにより固定式シートと背もたれとの間に隙間を形成し、ベース枠体がガイドレールに沿って支柱の周りに回動することにより、乗降口からシートクッションが車外に出るようになっている構成とした。
【０００８】
さらに請求項３に記載の昇降回転リヤシートでは、前記ジャッキは、前記回動ピンを中心に連結されたジャッキシャフトの一端を可動支柱に連結し、ジャッキシャフトの他端を固定支柱に連結しており、ギヤシャフトの回転で可動支柱が移動して回動ピンが支持プレートとともに下降してシートクッションを水平にする構成とした。
【００１０】
上記請求項１に記載の昇降回転リヤシートでは、乗用車のドアを開け、ジャッキ機構を操作してシートクッションを水平することで、背もたれが固定式シートから離れ隙間が生じるので、背もたれが固定式シートに引っかかることなく昇降回転リヤシートを回動することができ、結果として、固定式シートから昇降回転リヤシートだけが分離し、このリヤシートが乗用車のドアから車両の外側へ出る。したがって、ワンボックスカーのみならず、例えばセダン型の乗用車でも昇降回転リヤシートを備えることができ、着座したままシートクッションを回転させるだけで乗用車の車外に出ることができる。
【００１１】
また請求項２に記載の昇降回転リヤシートでは、例えば手動又は電動によりギヤシャフトが正逆に回転し、ジャッキが上下動する。ジャッキが所定距離下がると、シートクッションが水平になり、背もたれが固定式シートから離れ隙間が生じる。そして、ベース枠体が偏心した回転軸の支柱周りにガイドレールに沿って回転すると、シートクッションの一部が車外に出て、シートクッションの地上高も低くなっている。したがって、昇降回転リヤシートの回転軸が車両の外側方向に偏心しているため、シートクッションを水平にして手動又は電動により回転させるだけで車両の外側に昇降回転リヤシートを位置させることができるとともに、シートクッションを適度の高さにでき、身障者や高齢者が乗用車などに容易に乗降できるようになる。
【００１２】
さらに請求項３に記載の昇降回転リヤシートでは、ギヤシャフトが正方向に回転することによりジャッキの可動支柱が移動し、ジャッキの回動ピンが支持プレートととともに降下するにつれて支持プレートが所定距離だけ下がりシートクッションが水平になる。このとき固定式シートと背もたれとの間に隙間が生じ、昇降回転リヤシートを回転することができるようになる。
【００１４】
【発明の実施の形態】
以下、図１〜図９に基づき、本発明の昇降回転リヤシートの好適な実施の形態を説明する。
図１は本発明の昇降回転リヤシートを３人掛けリヤシートに収納した状態を示す一部断面図である。
図１に示すように、昇降回転リヤシート３０は、シートクッション１１と背もたれ４４との基部となって所定角度に形成された支持プレート２２と、この支持プレート２２のかどの両側に突出して配設された回動ピン２３と、この回動ピン２３を回動可能に支持するベース枠体２４と、このベース枠体２４を支えるとともに昇降回転リヤシート３０の中心軸から偏心した回動軸Ｘの周りに回動させる支柱１５と、この支柱１５を中心にしてベース枠体２４を回転方向にスライドさせるためのガイドレール１６とを有している。
【００１５】
昇降回転リヤシート３０内の回動軸Ｘとなる支柱１５は、後述する図９を参照して、開閉するドア側の車両外側後方に設けられている。なお、図１中、２６は車両のフロアを示し、３２は車外の路面を示し、Ｈはシートクッション１１の地上高を示す。
【００１６】
さらに、図１を参照して、ベース枠体２４内には、駆動モーター２０と、この駆動モーター２０の正逆回転をギヤシャフト１８に伝える動力伝達部材２１と、ギヤシャフト１８の両端を支持するブラケット１２，１２と、支持プレート２２の所定位置に配設された回動ピン３９に係合するとともに、ギヤシャフト１８の回転により上下動するように配設されたジャッキ１７とが備えられている。なお、図１で示すジャッキ１７の高さは、例えば３人掛けリヤシート４０に昇降回転リヤシートを格納して使用している状態を示している。
【００１７】
図２はシートクッションを水平にした時の昇降回転リヤシートの一部断面図である。図２に示すように、ジャッキ１７の所定高さに基づいてシートクッション１１が水平になり、背もたれ４４と３人掛けリヤシート４０との間に隙間Ｂが生ずるようになっている。このとき、足掛け台１４はピン１３により回動し、水平位置では固定されるようになっている。
【００１８】
図３は昇降回転リヤシートのジャッキとガイドレールの詳細断面図である。
図３を参照すると、ガイドレール１６は、ベース枠体２４の下部に突出して設けられた軸受２５と、車両のフロア２６に固定されたリテーナ３４との間に軸受玉３２を介してベース枠体２４を支持するようになっており、リテーナ３４の端部外側を覆ってガイドとなるレール３６がベース枠体２４の下部に形成されている。
【００１９】
また、ジャッキ１７は、回動ピン３９を中心にして連結されたジャッキシャフト３７，３７が一端を可動支柱１９に連結され、他端を固定支柱であるブラケット１２に連結されており、ギヤシャフト１８の正逆の回転によりジャッキ１７が上下動するようになっている。さらに、足掛け台１４がベース枠体２４の前端部にてピン１３で回動可能に取り付けられている。ここで、図３の点線で示した足掛け台１４は不使用時を示し、このときシートクッション１１に係止され、使用時は水平位置（実線図示）で固定されるようになっている。
【００２０】
なお、図示していないが、ガイドレール１６の両端にストッパが設けられて所定範囲しか移動できないようになっており、さらに、各ストッパの位置において昇降回転リヤシートを固定させるレバーが備えられている。本実施形態ではレバーの係合解除により手動で昇降回転リヤシートを回転させ得るようになっているが、上述した駆動モーター２０を利用してベース枠体２４を支柱１５の周りに正逆回転させる機構を設けることにより電動で回転させることもできる。
【００２１】
さらに、後述する図４及び図５を参照して、昇降回転リヤシート３０には水平状態に倒すとシートになるアームレスト４２を有し、このアームレスト４２はベース枠体２４の所定箇所に固定されたアーム４５によって支持され、３人掛けリヤシートの一部として構成されている。なお、本実施形態では片方のドア側リヤシートに本発明の昇降回転リヤシートを設けているが、左右のドア側リヤシートに設けてもよい。
【００２２】
本発明の昇降回転リヤシート３０は以上のように構成されており、昇降回転リヤシート３０の中心軸から偏心した位置に回動軸Ｘがくるように設けられた回動機構によって、乗降時に回動軸Ｘを中心にして昇降回転リヤシート３０が例えば手動又は電動により回転駆動され、３人掛けリヤシート４０からドア方向に昇降回転リヤシートが乗降口４３より外側に出て、しかもシートクッション１１の位置が低くなってロックされるようになっている。
【００２３】
次に、本発明の昇降回転リヤシートの作用について説明する。
図４は本発明の昇降回転リヤシートを収納した３人掛けリヤシートの外観図であり、図５は図４の一部正面図である。また、図６はシートクッションを水平にした時の昇降回転リヤシートを示す外観図であり、図７は図６の一部正面図である。さらに図８は本発明の昇降回転リヤシートの乗降時における外観図である。図９は図６及び図８の一部平面図である。
【００２４】
本発明の昇降回転リヤシートを使用して乗降する場合、図４及び図５を参照すると、先ず、シートとなっているアームレスト４２を垂直方向に立てる。このとき、図７に示すように隣のリヤシートとアームレスト４２との間に隙間Ａが生じる。
次に、図２，図６及び図７を参照して、駆動モーター２０を所定時間駆動することにより動力伝達部材２１を介してギヤシャフト１８が正方向に回転する。ギヤシャフト１８が回転することによりジャッキ１７の可動支柱１９が移動し、ジャッキ１７の回動ピン３９が支持プレート２２とともに下降するにつれて支持プレート２２が所定距離だけ下がり、シートクッション１１が水平になる。このとき、図２及び図６に示すように、３人掛けリヤシート４０と背もたれ４４との間に隙間Ｂが生じる。このような隙間Ａ及びＢが生じることにより、昇降回転リヤシートを回転させてもアームレスト４２や背もたれ４４が隣のリヤシート４０に引っかかることがない。
【００２５】
さらに、図８及び図９を参照すると、昇降回転リヤシート３０の偏心した回転軸Ｘの周りにガイドレール１６の移動を示す矢印Ｃに沿って、レバーを解除して例えば手動で回転させると、図９の２点鎖線で示すように昇降回転リヤシート３０の一部が車外に出て、しかもシートクッション１１の地上高Ｈも低くなっている。最後に、回動機構をロックして昇降回転リヤシートを固定する。
以上は降車時の動作であるが、乗車時は逆の動作により昇降回転リヤシートを利用できる。
【００２６】
このように本実施形態では、昇降回転リヤシートの回転軸が車両の外側方向に偏心しているため、シートクッションを水平にして手動又は電動により回転させるだけで車両の外側に昇降回転リヤシートを位置させることができるとともに、シートクッションを適度の高さにできる。
したがって、昇降回転リヤシートにより身障者や高齢者が乗用車などに容易に乗降できるようになる。
【００２７】
【発明の効果】
以上の説明から理解されるように、請求項１に記載の昇降回転リヤシートでは、乗用車のドアを開け、ジャッキ機構を操作してシートクッションを水平にし、回動機構によりシートクッションを回転させると、固定式シートから昇降回転リヤシートだけが分離し、このリヤシートが乗用車のドアから車両の外側へ出るため、例えばセダン型の乗用車でも昇降回転リヤシートを備えることができ、着座したままシートクッションを回転させるだけで乗用車の車外に出ることができるという効果を有する。また、ジャッキ機構の操作によりシートクッションが水平になると、背もたれが固定式シートから離れ隙間が生じるため、背もたれが固定式シートに引っかかることなく昇降回転リヤシートを回動できるという効果を有する。
【００２８】
また請求項２に記載の昇降回転リヤシートでは、例えば手動又は電動によりギヤシャフトが正逆に回転してジャッキが上下動し、ジャッキが所定距離下がると、シートクッションが水平になり、そして、ベース枠体が偏心した回転軸の支柱周りにガイドレールに沿って回転すると、シートクッションの一部が車外に出て、シートクッションの地上高も低くなっているため、昇降回転リヤシートの回転軸が車両の外側方向に偏心していることに基づいて、シートクッションを水平にして手動又は電動により回転させるだけで車両の外側に昇降回転リヤシートを位置させることができるとともに、シートクッションを適度の高さにできるという効果を有する。したがって、身障者や高齢者が乗用車などに容易に乗降できるようになる。
【００２９】
さらに請求項３に記載の昇降回転リヤシートでは、例えば手動又は電動によりギヤシャフトが正方向に回転することによりジャッキの可動支柱が移動し、ジャッキの回動ピンが支持プレートとともに降下するにつれて支持プレートが所定距離だけ下がりシートクッションが水平になる。このとき固定式シートと背もたれとの間に隙間が生じ、昇降回転リヤシートを回転することができるようになる。
【図面の簡単な説明】
【図１】本発明の昇降回転リヤシートを３人掛けリヤシートに収納した状態を示す一部断面図である。
【図２】シートクッションを水平にした時の昇降回転リヤシートの一部断面図である。
【図３】昇降回転リヤシートのジャッキとガイドレールの詳細断面図である。
【図４】本発明の昇降回転リヤシートを収納した３人掛けリヤシートの外観図である。
【図５】図４の一部正面図である。
【図６】シートクッションを水平にした時の昇降回転リヤシートを示す外観図である。
【図７】図６の一部正面図である。
【図８】本発明の昇降回転リヤシートの乗降時における外観図である。
【図９】図６及び図８の一部平面図である。
【図１０】従来のサイドリフトアップシートを示す外観図であり、（ａ）はドア開時を、（ｂ）はシート回転時を、（ｃ）はシート引き出し時を、（ｄ）はシート下降時を示す。
【符号の説明】
１１    シートクッション
１２    ブラケット
１３    ピン
１５    支柱
１６    ガイドレール
１７    ジャッキ
１８    ギヤシャフト
１９    可動支柱
２２    支持プレート
２４    ベース枠体
２５    軸受
３０    昇降回転リヤシート
３４    リテーナ
３６    レール
３７    ジャッキシャフト
４０    ３人掛けリヤシート
４２    アームレスト
４４    背もたれ
【図１】
0003639886.tif 000002
【図２】
0003639886.tif 000003
【図３】
0003639886.tif 000004
【図４】
0003639886.tif 000005
【図５】
0003639886.tif 000006
【図６】
0003639886.tif 000007
【図７】
0003639886.tif 000008
【図８】
0003639886.tif 000009
【図９】
0003639886.tif 000010
【図１０】
0003639886.tif 000011